(57)【要約】【課題】筐体内に設置される装置に接触しないように、筐体扉を閉じた状態でのみ電源の通電が可能な電気回路開閉装置を提供する。【解決手段】電気回路開閉装置は、筺体扉１２を備えた筺体本体１１の内部に、電気回路の遮断・通電を行う回路遮断器２１と、筐体扉１２に設けられ、回路遮断器２１を操作する外部操作ハンドル４１を有する。回路遮断器２１は、電気回路を開閉して電気回路の遮断・通電を行なう回路開閉部２５と、回路開閉部２５を駆動させる開閉操作部２６とを備えている。開閉操作部２６は、外部操作ハンドル４１の結合部４５（図６）と係合・離脱可能な錠３０を有し、筐体扉１２を閉じた時に結合部４５が錠３０と係合し、筐体扉１２を開いた時に結合部４５が錠３０から離脱し、外部操作ハンドル４１の結合部４５が錠３０と係合した状態でのみ外部操作ハンドル４１の結合部４５を介して操作される。【選択図】図２
2014233158.tif 000002
【特許請求の範囲】
【請求項１】
筐体扉を有する筐体内部に設置され、電気回路の遮断・通電を行う回路遮断器と、
前記筐体扉に設けられ、前記回路遮断器を操作する外部操作ハンドルを有する電気回路開閉装置において、
前記外部操作ハンドルは、
操作部と、該操作部に連動する結合部とを備え、
前記回路遮断器は、
前記電気回路を開閉して電気回路の遮断・通電を行う回路開閉部と、
前記回路開閉部を駆動させる開閉操作部とを備え、
前記開閉操作部は、
前記外部操作ハンドルの結合部と係合・離脱可能な錠部を有し、
前記筐体扉を閉じた時に外部操作ハンドルの結合部が回路遮断器の錠部と係合し、
前記筐体扉を開いた時に外部操作ハンドルの結合部が回路遮断器の錠部から離脱し、
外部操作ハンドルの結合部が回路遮断器の錠部と係合した状態でのみ外部操作ハンドルの結合部を介して操作されることを特徴とする電気回路開閉装置。
【請求項２】
前記外部操作ハンドルを通電位置にした状態において、
前記外部操作ハンドルの結合部と前記回路遮断器の鍵部との係合を阻止し、
前記外部操作ハンドルの結合部と前記回路遮断器の鍵部が係合した状態では、
前記外部操作ハンドルの結合部は前記回路遮断器の鍵部から離脱を阻止する鍵部を備えることを特徴とする請求項１に記載の電気回路開閉装置。
【発明の詳細な説明】
【技術分野】
【０００１】
本発明は、配電盤や制御盤等の筐体内に設置される装置の電源を通電または遮断する回路遮断器と、筐体の外部より回路遮断器を操作する外部操作ハンドルに関する。
【背景技術】
【０００２】
回路遮断器と外部操作ハンドルで構成される電源を通電または遮断する装置は、一般に知られている。特許文献１には、回路遮断器を筐体扉の外側から開閉操作するとともに、筐体の扉の開閉を規制することができる回路遮断器の外部操作ハンドル装置が開示されている。特許文献２には、電源をオフしなければ筐体扉を開けることができない機構を有する電源開閉器が開示されている。特許文献３には、回路遮断器を筐体扉の外側から開閉操作するとともに、トリップ状態であっても筐体の扉を閉じられる外部操作ハンドル装置が開示されている。
【０００３】
しかしながら、特許文献１、３は、回路遮断器の結合部を直接操作することにより、回路遮断器単体で電源の通電が可能である。回路遮断器単体で電源の通電または遮断の制限は述べていない。また、特許文献２は、回路遮断器単体で電源の通電または遮断の制限は言及していない。
【先行技術文献】
【特許文献】
【０００４】
【特許文献１】特開２０１０−１０２８９８号公報
【特許文献２】特開２０００−３１１５３８号公報
【特許文献３】特開２００４−２６５８４３号公報
【発明の概要】
【発明が解決しようとする課題】
【０００５】
上述したように、従来の回路遮断器と外部操作ハンドルは、筐体扉が開いている状態であれば、回路遮断器のみで電源の通電が可能であった。または、回路遮断器に電源の通電が可能な操作部を有している場合や、外部操作ハンドルと結合する部位を手で操作することで簡単に電源の通電が可能であった。このように、筐体扉が開いた状態で電源の通電が可能な場合、筐体内に設置された装置の充電部へ作業者が誤って接触する危険性がある。また、筐体扉が開いた状態で装置を稼動し続けると、外気に曝され続けることになり、装置の故障等の信頼性に影響を与える。
【０００６】
そこで、本発明の目的は、筐体内に設置される装置の充電部に接触しないように安全性を確保するため、筐体扉を閉じた状態でのみ電源の通電が可能な電気回路開閉装置を提供することである。
【課題を解決するための手段】
【０００７】
本願の請求項１に係る発明は、筐体扉を有する筐体内部に設置され、電気回路の遮断・通電を行う回路遮断器と、前記筐体扉に設けられ、前記回路遮断器を操作する外部操作ハンドルを有する電気回路開閉装置において、前記外部操作ハンドルは、操作部と、該操作部に連動する結合部とを備え、前記回路遮断器は、前記電気回路を開閉して電気回路の遮断・通電を行う回路開閉部と、前記回路開閉部を駆動させる開閉操作部とを備え、前記開閉操作部は、前記外部操作ハンドルの結合部と係合・離脱可能な錠部を有し、前記筐体扉を閉じた時に外部操作ハンドルの結合部が回路遮断器の錠部と係合し、前記筐体扉を開いた時に外部操作ハンドルの結合部が回路遮断器の錠部から離脱し、外部操作ハンドルの結合部が回路遮断器の錠部と係合した状態でのみ外部操作ハンドルの結合部を介して操作されることを特徴とする電気回路開閉装置である。  
請求項２に係る発明は、前記外部操作ハンドルを通電位置にした状態において、前記外部操作ハンドルの結合部と前記回路遮断器の鍵部との係合を阻止し、前記外部操作ハンドルの結合部と前記回路遮断器の鍵部が係合した状態では、前記外部操作ハンドルの結合部は前記回路遮断器の鍵部から離脱を阻止する鍵部を備えることを特徴とする請求項１に記載の電気回路開閉装置である。
【発明の効果】
【０００８】
本発明により、筐体内に設置される装置の充電部に接触しないように安全性を確保し、筐体扉を閉じた状態でのみ電源の通電が可能な電気回路開閉装置を提供できる。
【図面の簡単な説明】
【０００９】
【図１】本発明の実施形態を説明する図である。
【図２】図１の回路遮断器と外部操作ハンドルの部分を拡大して説明する図である。
【図３】図１の回路遮断機を拡大して説明する図である。
【図４】回路遮断器のＯＦＦ状態とＯＮ状態を説明する図である。
【図５】外部操作ハンドルを説明する図である。
【図６】結合部を説明する図である。
【図７】保守用ハンドルを説明する図である。
【発明を実施するための形態】
【００１０】
以下、本発明の実施形態を図面と共に説明する。  
図１は本発明の実施形態を説明する図である。図２は図１の回路遮断器と外部操作ハンドルの部分を拡大して説明する図である。また、図３は図１の回路遮断機を拡大して説明する図である。
【００１１】
配電盤や制御盤等の電気回路開閉装置の筐体１０は、筐体本体１１と筐体本体１１の内部を外気の影響から防ぐ開閉自在の筐体扉１２を備えている。電気回路開閉装置の筐体１０の筐体本体１１は、電源装置などの各種の装置１３と各種の装置１３への電力の通電と遮断を行うための回路遮断器２１が取り付けられている。筐体扉１２には回路遮断器２１の通電と遮断を切り換えるための外部操作ハンドル４１が取り付けられている（図２参照）。
【００１２】
筐体本体１１の内部に設置される装置１３の充電部に接触しないように安全性を確保するためには、筐体扉１２を閉じた状態でのみ電源の通電が可能な構造とする必要がある。また、そのような構造であれば、電源通電時に筐体扉１２は閉じた状態であり、筐体本体１１の内部の装置１３を外気から守ることが出来る。本発明の実施形態では、筐体本体１１の内部に設置される装置１３の充電部に接触しないように安全性を確保するため、筐体本体１１の内部に設置された回路遮断器２１と筐体扉１２に取付けられた外部操作ハンドル４１で構成される。
【００１３】
回路遮断器２１は図３に示されるように、回路の開閉を行う回路開閉部２５を備えている。開閉操作部２６を外部操作ハンドル４１の操作部４２を操作することによって、回路開閉部２５の開閉を行うことで、回路遮断器２１の外部電源との接続と切断がなされる。開閉操作部２６は、錠穴２３とロック手段２４を備えている。
【００１４】
図４に回路遮断器２１、図５、６に外部操作ハンドル４１を示す。図４は、（ａ）回路遮断器のＯＦＦ状態と、（ｂ）ＯＮ状態を説明する図である。図５は外部操作ハンドルを説明する図である。図６は結合部を説明する図である。操作部４２がＯＦＦ方向（矢印４６）の状態のとき、結合部４５の方向は矢印４７となるよう、操作部４２の矢印４６の方向と結合部４５の矢印４７の方向と直交している。したがって、図５に示される操作部４２の状態の場合、錠３０は図４（ａ）に示される状態となり、回路遮断器２１はＯＦＦ状態となる。図５において操作部４２の矢印４６をＯＮ方向とすると、回路遮断器２１は図４（ｂ）の状態となる。
【００１５】
外部操作ハンドル４１は、回路遮断器２１の開閉を行うための、一側面が曲面を有する矩形形状であって回動自在の操作部４２と、操作部４２に連結された結合部４５と、外部操作ハンドル４１の操作をロックするための南京錠（図示せず）を取り付けるためのロック手段４３と、回路遮断器２１がＯＮ状態にあるのかＯＦＦ状態にあるのかを表示するための表示部４４を備えている。ロック手段４３として図５では、操作部４２の回りに壁状に設けられた壁部の所定個所に穴が設けられている。この穴（ロック手段４３）に南京錠の腕部が挿入される。なお、表示部４４は、前記壁部にＯＮとＯＦＦがシール、刻印などによって設けられている。図５の例では、操作部４２を紙面上向きが回路遮断器２１のＯＮの状態であり、紙面横方向が回路遮断器２１のＯＦＦの状態を示している。
【００１６】
筐体扉１２を閉めると、回路遮断器２１に備わった開閉操作部２６の錠穴２３と外部操作ハンドル４１の結合部４５が結合する。外部操作ハンドル４１の操作部４２を回転させることで、結合部４５を介して錠ベース２９が回転する。錠ベース２９に付いたピンと、開閉操作ベース２２に設けられた穴からなるカム３１により、錠ベース２９の回転が開閉操作ベース２２を上下動させる。開閉操作ベース２２が回路開閉部２５を駆動させ、開閉操作ベース２２を上側へ操作すると電源が通電し、開閉操作ベース２２を下側へ操作すると遮断する構造である。
【００１７】
回路遮断器２１が遮断状態でのみ錠穴２３から錠３０へ結合部４５が結合または離脱可能である。回路遮断器２１が通電状態では、結合または離脱できない構造のため、電源が通電されている場合は、筐体扉１２を開くことはできない。
【００１８】
表１に回路遮断器２１と筐体扉１２と外部操作ハンドル４１の関係を示す。（１）外部操作ハンドル４１がＯＦＦで、筐体扉１２が閉鎖しているとき、回路遮断器２１は遮断状態にあるが、通電可能である。（２）外部操作ハンドル４１がＯＦＦで、筐体扉１２が開のとき、回路遮断器２１は遮断状態にあり、通電も不可である。（３）外部操作ハンドル４１がＯＮで、筐体扉１２が閉鎖しているとき、回路遮断器２１は通電状態にあり、遮断可能である。（４）外部操作ハンドル４１がＯＮで、筐体扉１２が開のとき、回路遮断器２１は遮断状態にあり、通電も不可である。
【００１９】
【表１】
2014233158.tif 000003
【００２０】
回路遮断器２１の単体では、手や、ドライバー等の工具で電源を通電するための手段を設けない。回路遮断器２１を通電状態にするには、錠穴２３に外部操作ハンドル４１の結合部４５を結合させ、操作部４２を操作しなければならない。よって、筐体扉１２が開いた状態では、電源の通電を行なうことはできない。
【００２１】
しかし、筐体内の装置１３を保守する場合は、筐体扉１２を開けた状態で、電源を通電させなければならない場合がある。筐体内の装置を保守する場合は、筐体扉１２を開けたまま電源の通電を行なえるように、図７に示すような外部操作ハンドルの結合部４５と同形状の結合部を持つ保守用ハンドル５０を使用する。保守用ハンドル５０は、保管場所につり下げて保管するためにひもを通すひも穴５１と、結合部４５（図６参照）に対応する保守用結合部５２を備えている。
【００２２】
回路遮断器２１の開閉操作部２６に設けられたロック手段２４は、筐体本体１１の内部に設置された装置１３を保守する場合、保守作業中に意図しない電源の通電を避けるために用いる。ロック手段２４に南京錠（図示せず）をかけることで開閉操作ベース２２の上方向への操作が制限されるため、保守用ハンドル５０を用いても電源の通電ができない。また、筐体扉１２を開けていても回路遮断器２１の状態がわかるように、回路遮断器２１に表示窓２７と表示部２８を設ける。回路遮断器単体では電源を通電させる手段は持たないが、開閉操作部２６の上部に飛び出た開閉操作ベースを下げることで瞬時に電源を遮断する手段を設ける。
【００２３】
筐体１０の外部に設置されている装置（図示せず）を保守する場合は、保守作業中に意図しない電源の通電をさけるため、外部操作ハンドル４１のロック手段４３を用いる。ロック手段４３に南京錠（図示せず）をかけることで、操作部４２の回転操作が制限されるため、電源の通電ができない。回路遮断器２１の状態が筐体外からわかるように、外部操作ハンドル４１に表示部４４を設ける。
【符号の説明】
【００２４】
１０  筐体
１１  筐体本体
１２  筐体扉
１３  装置
２１  回路遮断器
２２  開閉操作ベース
２３  錠穴
２４  ロック手段
２５  回路開閉部
２６  開閉操作部
２７  表示窓
２８  表示部
２９  錠ベース
３０  錠
３１  カム
４１  外部操作ハンドル
４２  操作部
４３  ロック手段
４４  表示部
４５  結合部
４６  矢印
４７  矢印
５０  保守用ハンドル
５１  ひも穴
５２  保守用結合部
【図１】
2014233158.tif 000004
【図２】
2014233158.tif 000005
【図３】
2014233158.tif 000006
【図４】
2014233158.tif 000007
【図５】
2014233158.tif 000008
【図６】
2014233158.tif 000009
【図７】
2014233158.tif 000010